(57)【特許請求の範囲】
【請求項１】
ＭＡＣフレームの信号をＳＯＮＥＴ／ＳＤＨフレームに挿入して伝送回線へ送信し、伝送回線から受信されたＳＯＮＥＴ／ＳＤＨフレームからＭＡＣフレームの信号を抽出してＭＡＣフレームを生成する伝送装置において、
自装置の各伝送回線に固有の伝送回線識別符号を、前記ＭＡＣフレームの信号を挿入したＳＯＮＥＴ／ＳＤＨフレームに挿入する伝送回線識別コード挿入手段と、
前記伝送回線を介して他の伝送装置から受信されるＳＯＮＥＴ／ＳＤＨフレームから前記伝送回線識別符号を抽出し、自装置の伝送回線に固有の伝送回線識別符号であるか否かを判定してループバック状態が検出されたとき、前記抽出したＭＡＣフレームの信号を破棄する信号遮断手段
を備えた伝送装置。
【請求項２】
ＩＥＥＥ８０２．３により規格化されたＬＡＮを介して監視・制御装置と接続され、監視・制御信号をＭＡＣフレームで送受する伝送装置であって、該ＭＡＣフレームの信号をＳＯＮＥＴ／ＳＤＨフレームに挿入して伝送回線へ送信し、伝送回線から受信されたＳＯＮＥＴ／ＳＤＨフレームから該ＭＡＣフレームの信号を抽出してＭＡＣフレームを生成する伝送装置において、
自装置の各伝送回線に固有の伝送回線識別符号を、前記ＭＡＣフレームの信号を挿入したＳＯＮＥＴ／ＳＤＨフレームに挿入する伝送回線識別コード挿入手段と、
前記伝送回線を介して他の伝送装置から受信されるＳＯＮＥＴ／ＳＤＨフレームから前記伝送回線識別符号を抽出し、自装置の伝送回線に固有の伝送回線識別符号であるか否かを判定してループバック状態が検出されたとき、前記抽出したＭＡＣフレームの信号を破棄する信号遮断手段
を備えた伝送装置。
【請求項３】
ＭＡＣアドレスの学習機能を有するネットワーク機器と接続され、ＭＡＣフレームの信号を、ＳＯＮＥＴ／ＳＤＨフレームのオーバーヘッドの制御情報通信用チャネル（ＤＣＣ）に挿入して伝送回線へ送信し、伝送回線から受信されたＳＯＮＥＴ／ＳＤＨフレームのオーバーヘッドから制御情報通信用チャネル（ＤＣＣ）を抽出し、ＭＡＣフレームを生成して、前記ＭＡＣアドレスの学習機能を有するネットワーク機器へ送出する伝送装置において、
自装置の各伝送回線に固有の伝送回線識別符号を、前記ＭＡＣフレームの信号を挿入したＳＯＮＥＴ／ＳＤＨフレームのオーバーヘッドに挿入する伝送回線識別コード挿入手段と、
前記伝送回線を介して他の伝送装置から受信されるＳＯＮＥＴ／ＳＤＨフレームのオーバーヘッドから、前記伝送回線識別符号を抽出し、自装置の伝送回線に固有の伝送回線識別符号であるか否かを判定してループバック状態を検出するループバック検出手段と、
前記ループバック検出手段でループバック状態が検出されたとき、前記オーバーヘッドから抽出され、ＭＡＣフレームの信号の生成に使用される制御情報通信用チャネル（ＤＣＣ）の信号を破棄する制御信号遮断手段
を備えた伝送装置。
【発明の詳細な説明】
【技術分野】
【０００１】
本発明は、伝送装置に関し、特に、ＳＯＮＥＴ（Synchronous Optical NET work）／ＳＤＨ（Synchronous Digital Hierarchy）フレームを伝送する伝送装置であって、オーバーヘッドに監視・制御信号を多重して送信し、遠隔基地局等の伝送装置の監視・制御を可能にした伝送装置に関する。
【０００２】
近年、遠隔の伝送装置を監視・制御するための通信手段として、ＩＥＥＥ８０２．３により規格化されたＬＡＮ（Local Area Network）を用いることが多くなっている。本発明は、監視・制御装置とＬＡＮで接続され、ＭＡＣフレームで監視・制御信号を送受する伝送装置に係る。
【背景技術】
【０００３】
伝送装置の構成例を図３に示す。同図において、３−１は伝送装置本体で、３−２は伝送回線を収容するインタフェース（ＩＦ）部、３−３は主信号のルーティング及びプロテクションを行うクロスコネクト（ＸＣ）部、３−４は伝送装置及び伝送回線の各種の監視・警報信号の収集と設定制御を行うマイクロコンピュータ（ＭＣ）及びその周辺回路から成る制御部である。
【０００４】
制御部３−４は、外部の監視・制御装置３−５と接続され、伝送装置３−１及び伝送回線の警報表示信号を監視・制御装置３−５に送出し、また、伝送回線のサービス状態やクロスコネクト（ＸＣ）部３−３の設定や切り替え等の制御を行う。
【０００５】
制御部３−４の監視・制御信号は、伝送装置３−１内においては、マイクロコンピュータのインタフェースを延長する制御バスにより、インタフェース（ＩＦ）部３−２及びクロスコネクト（ＸＣ）部３−３と送受されるのが一般的である。
【０００６】
また、図示省略の遠隔の伝送装置に対して監視・制御を行う場合は、ＨＤＬＣ（High-level Data Link Control procedure）パケットやＭＡＣ（Media Access Control）フレームなど、遠隔伝送可能なフレームに監視・制御信号をカプセリングしてから、ＳＯＮＥＴ／ＳＤＨフレームのオーバーヘッドの制御情報通信用チャネル（ＤＣＣ：Data Communication Channel）バイトに多重して送信する。これにより、遠隔の伝送装置に対して伝送回線を通して監視・制御信号を送信することができる。
【０００７】
オーバーヘッドの制御情報通信用チャネル（ＤＣＣ）バイトにＭＡＣフレームを多重化する構成例を図４に示す。同図に示すように、伝送装置４−１はＬＡＮ４−２に接続され、ＬＡＮ４−２を介して監視・制御装置４−３と接続される。伝送装置４−１内では、制御（ＭＣ）部４−４と、伝送回線の信号を処理するインタフェース（ＩＦ）部４−５とが、ＭＡＣフレームの多重化に関与する。
【０００８】
監視・制御装置４−３は、パーソナルコンピュータやワークステーション等の操作端末を備え、伝送装置４−１及び伝送回線の状態を監視するための表示画面、並びに警報発生状況や伝送回線の接続切り替え状況等を監視するための表示画面が表示される。また、監視・制御装置４−３からの操作により、伝送回線の接続切り替え制御や、伝送回線の使用・未使用状態の切り替え制御が実施される。
【０００９】
伝送装置４−１と監視・制御装置４−３とを接続するＬＡＮ４−２は、ＭＡＣフレームを送受するネットワークで、汎用のＬＡＮとして他のネットワーク端末が接続される場合がある。ＬＡＮ４−２は、ブリッジやスイッチ等で各ネットワークノードを接続する。このネットワーク形態において、伝送装置４−１の制御（ＭＣ）部４−４及び監視・制御装置４−３、及び伝送回線介した接続先の遠隔伝送装置の制御（ＭＣ）部も、ＬＡＮ４−２の上のネットワークノードとなる。
【００１０】
ＬＡＮ４−２を流れるＭＡＣフレームが、伝送回線を介して遠隔の伝送装置へ送出される動作は次の通りである。ＬＡＮ４−２から伝送装置４−１に入力されたＭＡＣフレームは、ブリッジ４−７を通してインタフェース（ＩＦ）部４−５に到達する。
【００１１】
インタフェース（ＩＦ）部４−５に到達したＭＡＣフレームは、インタフェース（ＩＦ）部４−５内の物理レイヤ（ＰＨＹ）部４−１０により、物理層の電気信号が終端され、論理信号（バイト単位の信号）に変換された後、ＭＡＣフレーム読み出し部４−１１でＭＡＣフレームの信号を読み出し、該ＭＡＣフレームの信号をバッファメモリ４−１２に書き込む。
【００１２】
制御信号バイト読み出し部４−１３は、バッファメモリ４−１２に書き込まれたＭＡＣフレームの信号を、ＳＯＮＥＴ／ＳＤＨフレームのオーバーヘッドの制御情報通信用チャネル（ＤＣＣ）バイトの送信タイミングで読み出す。ＭＡＣフレーム読み出し部４−１１から制御信号バイト読み出し部４−１３までの信号処理によって、ＬＡＮ４−２の高速の転送速度から制御情報通信用チャネル（ＤＣＣ）バイトの低速の転送速度への乗り換えが行われる。
【００１３】
オーバーヘッド（ＯＨ）多重部４−１４は、ＭＡＣフレームの信号を、ＳＯＮＥＴ／ＳＤＨフレームのオーバーヘッド（ＯＨ）の制御情報通信用チャネル（ＤＣＣ）バイトに搭載して多重化する。伝送フレーム生成部４−１５は、主信号多重部４−１６で多重化した通信データの主信号と、オーバーヘッド（ＯＨ）多重部４−１４で多重化したオーバーヘッド信号とを組み合わせてＳＯＮＥＴ／ＳＤＨフレームを生成する。
【００１４】
なお、オーバーヘッド信号には、ＭＡＣフレームの信号が含まれるとともに、伝送装置の運用・保守のための信号が含まれている。また、１つのＭＡＣフレームの信号は、複数のＳＯＮＥＴ／ＳＤＨフレームに亘って、そのオーバーヘッドの制御情報通信用チャネル（ＤＣＣ）バイトに搭載され、多重伝送される。以上の物理レイヤ（ＰＨＹ）部４−１０から伝送フレーム生成部４−１５までの信号処理によって、監視・制御信号を含むＭＡＣフレームの信号がＳＯＮＥＴ／ＳＤＨフレームで伝送回線へ送出される。
【００１５】
一方、伝送回線に到来したＳＯＮＥＴ／ＳＤＨフレームからＭＡＣフレームを抽出する動作は次の通りである。伝送フレーム同期部４−１７でＳＯＮＥＴ／ＳＤＨフレームの同期確立を行い、主信号分離部４−１８とオーバーヘッド（ＯＨ）分離部４−１９とで、ＳＯＮＥＴ／ＳＤＨフレームの主信号とオーバーヘッドとを分離する。
【００１６】
オーバーヘッド（ＯＨ）分離部４−１９で分離されたオーバーヘッドは、制御信号バイト抽出部４−２０に入力され、制御信号バイト抽出部４−２０は、オーバーヘッドの中から、制御情報通信用チャネル（ＤＣＣ）バイトを抽出し、該制御情報通信用チャネル（ＤＣＣ）バイトをバッファメモリ４−２１に書き込む。
【００１７】
ＭＡＣフレーム生成部４−２２は、バッファメモリ４−２１に書き込まれた制御情報通信用チャネル（ＤＣＣ）バイトのデータが、少なくとも１つのＭＡＣフレーム分蓄積された後、該制御情報通信用チャネル（ＤＣＣ）バイトのデータからＭＡＣフレームを生成し、該ＭＡＣフレームを物理レイヤ（ＰＨＹ）部４−１０に送出する。物理レイヤ（ＰＨＹ）部４−１０は、ＭＡＣフレーム生成部４−２２で生成されたＭＡＣフレームの論理信号を物理的な信号に変換し、該ＭＡＣフレームの信号をＬＡＮ４−２に送出する。
【００１８】
伝送フレーム同期部４−１７から物理レイヤ（ＰＨＹ）部４−１０までの処理により、監視・制御信号が制御情報通信用チャネル（ＤＣＣ）バイトからＭＡＣフレームに組み立てられ、ＬＡＮ４−２に送信される。制御（ＭＣ）部４−４内のマイクロコンピュータ４−６が遠隔の伝送装置と監視・制御信号を送受する際にも、ブリッジ４−７を経た後、インタフェース（ＩＦ）部４−５内で同様の処理を経て、監視・制御信号が送受される。
【００１９】
マイクロコンピュータ４−６は、マイクロコンピュータチップ、メモリ、その他Ｉ／Ｏ周辺回路を含む制御回路で、メモリにはファームウェアを搭載し、伝送装置４−１全体のソフトウェア制御を行う。また、マイクロコンピュータ４−６は、ＭＡＣレイヤ部４−８及び物理レイヤ（ＰＨＹ）部４−９を介してＬＡＮ４−２と接続され、ＭＡＣフレームを送受する。
【００２０】
ＭＡＣレイヤ部４−８はＭＡＣアドレスを終端し、ＬＡＮパケットの受け渡しを行うネットワークノードとして機能し、物理レイヤ（ＰＨＹ）部４−９は、物理レイヤ（ＰＨＹ）部４−１０と同様に、ＭＡＣフレームの物理層の信号を終端し、論理信号への変換を行う。
【００２１】
監視・制御装置４−３は、ＬＡＮ４−２、伝送装置４−１のインタフェース（ＩＦ）部４−５及び伝送路回線を介して、遠隔の伝送装置と接続され、また、ＬＡＮ４−２内の他のネットワークノードと接続される。パーソナルコンピュータ又はワークステーション４−２３は、ＭＡＣレイヤ部４−２４と物理レイヤ（ＰＨＹ）部４−２５とを介してＬＡＮ４−２に接続される。以上の監視・制御用の接続経路をＬＡＮの仮想ネットワークとして見た場合、図５に示すようなネットワーク構成例となり、伝送回線網を含めた全体の接続構成が一つの広域ＬＡＮになる。
【００２２】
図５は、基地局５−１内でブリッジ・リピータ５−１１を介して監視・制御装置５−１２、伝送装置５−１３及び他のネットワークノード５−１４が接続されている。また、基地局５−１内の伝送装置５−１３は、他の基地局５−２の伝送装置５−２１及び基地局５−３の伝送装置５−３１と伝送回線により接続されているネットワーク構成例を示している。このネットワーク構成において、監視・制御信号をＭＡＣフレームで送受する広域ＬＡＮが形成される。
【００２３】
伝送装置では、伝送回線設置時の疎通動作確認のために、ループバック試験が一般に行われる。しかし、監視・制御装置５−１２とＬＡＮで接続された伝送装置５−１３，５−２１，５−３１に対して、伝送回線のループバック試験を行おうとすると、制御情報通信用チャネル（ＤＣＣ）バイトに多重したＭＡＣフレームも同時に折り返されることが原因となって、以下に説明するような異常動作を起こしてしまう。
【００２４】
ＬＡＮのブリッジ等のレイヤ２のネットワーク機器は、ＭＡＣアドレスの学習機能により、ＭＡＣアドレスと接続ポートとの対応を学習し、送信先ＭＡＣアドレスを元に送信先の接続ポートを切り替えてＭＡＣフレームを送出することにより、無効なトラヒックの配信を減少させる機能が有る。
【００２５】
ここで、図６に示す例のように、監視・制御装置６−２及び伝送装置６−３と接続されたブリッジ６−１、伝送装置６−３内のブリッジ６−３１、インタフェース（ＩＦ）部６−３２、及び該インタフェース（ＩＦ）部６−２２に接続された伝送回線を経由するループバック試験を実施したとする。
【００２６】
すると、上記ループバック試験によってＭＡＣフレームがそのまま折り返されてしまうため、送信元及び送信先のＭＡＣアドレスが実際の送信元及び送信先のＭＡＣアドレスと異なるものとして送り返される。その結果、ブリッジ６−１及び６−３１では誤ったＭＡＣ学習が行われ、ＭＡＣフレームの送信先の接続ポートを正しく切り替えることができなくなり、ＬＡＮが通信不能状態になる可能性がある。
【００２７】
また、図７の例のように、伝送装置６−３内の２箇所以上のインタフェース（ＩＦ）部６−３１，７−１の伝送回線に対してループバック試験が実施されると、ブリッジ６−１、ブリッジ６−３１及びインタフェース（ＩＦ）部６−３２，７−１の伝送回線を経由するループ接続部分がＬＡＮに形成されてしまう。
【００２８】
この場合、ブロードキャストストームと呼ばれる現象が起こり、ネットワーク全体にパケットが配信されて輻輳状態となり、ネットワーク全体が使用不能になってしまう。また、ＬＡＮに接続されているネットワークノードのパケット受信処理がオーバーフロー状態となり、最悪の場合は、システム停止に至ることがある。
【００２９】
下記の特許文献１には、適用対象システムとして異なるものであるが、「ノード識別子通知セル」を用いて離脱ノードを検出することにより、又はネットワーク構成の変更を検出したノードが「リングクリア開始／終了指示セル」を用いてリング網上の全ノードのスイッチバッファをクリア状態にすることにより、無限ループセルの発生を防止し、全てのセルに対し、複数ノードが同時に障害を発生しても対処できるようにしたリング網ノードが記載されている。
【特許文献１】特開平９−３０７５７６号公報
【発明の開示】
【発明が解決しようとする課題】
【００３０】
前述したように、監視・制御装置とＬＡＮで接続された伝送装置では、伝送回線のループバック試験を実施することは以下の理由により不可能であった。
（１）伝送回線のループバック試験を実施すると、制御情報通信用チャネル（ＤＣＣ）バイトに多重したＭＡＣフレームも同時に折り返されることが原因となってＬＡＮで異常動作が起こり、監視・制御装置と接続されたＬＡＮの機能が停止してしまい、監視・制御装置の操作によって復旧することができなくなる。
（２）ＬＡＮのルーターには、スパニングツリー等のプロトコルを搭載し、パケットの折り返りやループ接続に対する対策が施されているものがあるが、それらのプロトコルによるネットワークの復旧には、数十秒から数分の時間が掛かり、その間、ネットワークが無監視状態になってしまう。
（３）ネットワーク自体にループバックに対する耐力を持たせることは可能であっても、ループバック試験中の伝送装置は、ＬＡＮから切り離された状態になるのでループバック試験の終了制御ができなくなる。
（４）伝送装置内のブリッジに、ループ接続に対する対策機能を施す場合は、ルーターやスパニングツリー等のプロトコルが必要となり、大規模ＬＳＩ及び複雑なソフトウェア処理が必要となる。
【００３１】
監視・制御信号をＭＡＣフレームで送受する伝送装置において、ループバック試験の際のＭＡＣフレームの折り返しの発生状態を解消しなければ、ネットワーク障害が復旧されないが、監視・制御信号を送受するＬＡＮ自体が使用不能になるため、遠隔操作でこの状態から回復することができなくなってしまう。回復手段は、作業者が基地局等の伝送装置の設置場所に直接出向き、伝送回線の接続を切断するか、或いは伝送装置の送信動作を停止させる等の手段に限られていた。
【課題を解決するための手段】
【００３２】
上記課題を解決するため、この伝送装置は、ＭＡＣフレームの信号をＳＯＮＥＴ／ＳＤＨフレームに挿入して伝送回線へ送信し、伝送回線から受信されたＳＯＮＥＴ／ＳＤＨフレームからＭＡＣフレームの信号を抽出してＭＡＣフレームを生成する伝送装置において、自装置の各伝送回線に固有の伝送回線識別符号を、前記ＭＡＣフレームの信号を挿入したＳＯＮＥＴ／ＳＤＨフレームに挿入する伝送回線識別コード挿入手段と、前記伝送回線を介して他の伝送装置から受信されるＳＯＮＥＴ／ＳＤＨフレームから前記伝送回線識別符号を抽出し、自装置の伝送回線に固有の伝送回線識別符号であるか否かを判定してループバック状態が検出されたとき、前記抽出したＭＡＣフレームの信号を破棄する信号遮断手段と、を備えたことを要件とする。
【発明の効果】
【００３３】
開示の伝送装置によれば、ＳＯＮＥＴ／ＳＤＨフレームのループバック試験の実施時にＭＡＣフレームが折り返されても、該折り返しのＭＡＣフレームを破棄するため、ブリッジ等での誤ったＭＡＣ学習が行われることはなく、ＬＡＮに異常が発せず、遠隔操作でのＳＯＮＥＴ／ＳＤＨフレームのループバック試験の実施・終了の指示が可能になり、監視・制御用のＬＡＮ内の他の伝送装置が稼働中でも、該ループバック試験の実施が可能になる。
【００３４】
また、伝送装置内のブリッジ等のＬＡＮ接続装置に、ループバックに対する異常発生防止のためのプロトコル実行機能を実装する必要がないので、ブリッジ等のＬＡＮ接続装置を小規模なもので構成することができ、小型化が可能になる。
【発明を実施するための最良の形態】
【００３５】
図１は開示の伝送装置の構成を示す。１−１は伝送回線識別コード挿入部で、ＳＯＮＥＴ／ＳＤＨフレームのオーバーヘッドの空きバイトを用いて、伝送回線の識別のためのユニークなコードを挿入する処理部である。
【００３６】
このコードは、回路名称と製造番号とを用いた符号や、システムソフトウェアで任意に設定したコード等、どのようなコードであっても良く、各インタフェース（ＩＦ）部４−５で自身が設定した伝送回線のコードか否かを識別することができるコードであれば良い。
【００３７】
オーバーヘッド（ＯＨ）多重部４−１４は、ＭＡＣフレームの信号を、ＳＯＮＥＴ／ＳＤＨフレームのオーバーヘッド（ＯＨ）の制御情報通信用チャネル（ＤＣＣ）バイトに搭載し、また、識別コード挿入部１−１により伝送回線識別コードが挿入されたオーバーヘッドを伝送フレーム生成部４−１５に送出する。
【００３８】
伝送フレーム生成部４−１５は、主信号多重部４−１６で多重化した通信データの主信号と、オーバーヘッド（ＯＨ）多重部４−１４で多重化したオーバーヘッド信号とを組み合わせてＳＯＮＥＴ／ＳＤＨフレームを生成し、該ＳＯＮＥＴ／ＳＤＨフレームを伝送回線へ送出する。
【００３９】
１−２は、伝送回線から到来するＳＯＮＥＴ／ＳＤＨフレームのオーバーヘッドから、識別コード挿入部１−１で挿入した伝送回線識別コードを抽出する伝送回線識別コード抽出部である。１−３はループバック状態であるかどうかを検出するループバック検出部で、自身のインタフェース（ＩＦ）部４−５の識別コード挿入部１−１で挿入した伝送回線識別コードが検出されたとき、ループバック発生状態であると認識する。
【００４０】
１−４はループバック検出部１−３でループバック発生状態を検出したとき、制御信号バイト抽出部４−２０でオーバーヘッドの中から抽出された制御情報通信用チャネル（ＤＣＣ）バイトの信号の出力を遮断する制御信号遮断部である。
【００４１】
制御信号遮断部１−４よる制御情報通信用チャネル（ＤＣＣ）バイトの信号の遮断は、ＭＡＣフレームの送受信タイミングとは非同期に起こるので、ＭＡＣフレームの受信途中で起こる可能性もある。そのため、制御信号遮断部１−４で制御情報通信用チャネル（ＤＣＣ）バイトの信号を遮断したときは、該制御情報通信用チャネル（ＤＣＣ）バイトの信号を蓄積するバッファメモリ４−２１をクリアし、受信途中のＭＡＣフレームの信号の全てを破棄する。
【００４２】
こうすることにより、ループバック試験の実施時にＭＡＣフレームが折り返されてきても、自身の伝送装置の伝送回線から送信したＭＡＣフレームの折り返しを検出し、該折り返しのＭＡＣフレームがブリッジに入力される前に破棄するため、ブリッジでの誤ったＭＡＣ学習が行われることはなく、ＬＡＮに異常が発することがない。なお、図１の構成において、図４に示した構成と同一の機能部には同一の符号を付し、重複した説明は省略する。
【実施例】
【００４３】
上述の伝送装置を用いた伝送システムの監視・制御用の広域ＬＡＮの例を図２に示す。同図において、監視対象伝送システムは、第１の基幹系リング伝送路２−１に接続された伝送装置２-１１，２−１２，２−１３，２−１４と、第２の基幹系リング伝送路２−２に接続された伝送装置２−２１，２−２２，２−２３，２−２４である。
【００４４】
各伝送装置２−１１〜２−１４及び２−２１〜２−２４には、上述の折り返しＭＡＣフレーム破棄手段を適用することにより、ブリッジ２−３を介して接続された監視・制御装置２−４により、各伝送装置に対してＭＡＣフレームの監視・制御号を送受して、監視・制御すると共に、ループバック試験の実施・終了の指示する遠隔操作を行うことができる。
【００４５】
ブリッジ２−３には他のネットワークノード２−５１，２−５２が接続され、また、伝送装置２−１３に、ブリッジ２−６を介して他のネットワークノート２−７１，２−７２が接続され、それら全体で広域ＬＡＮが形成されていても、ループバック試験によるループ接続の発生によって、該広域ＬＡＮに異常が発生することはない。
【図面の簡単な説明】
【００４６】
【図１】オーバーヘッドにＭＡＣフレームと伝送回線識別コードを多重化する構成例を示す図である。
【図２】開示の伝送装置を用いた監視・制御用の広域ＬＡＮの例を示す図である。
【図３】伝送装置の構成例を示す図である。
【図４】オーバーヘッドにＭＡＣフレームを多重化する構成例を示す図である。
【図５】監視・制御用の広域ＬＡＮの例を示す図である。
【図６】ループバック試験による折り返し発生の例を示す図である。
【図７】２箇所のループバック試験によるループ接続の形成の例を示す図である。
【符号の説明】
【００４７】
１−１  伝送回線識別コード挿入部
１−２  識別コード抽出部
１−３  ループバック検出
１−４  制御信号遮断部
４−１  伝送装置
４−２  ＬＡＮ
４−３  監視・制御装置
４−４  制御（ＭＣ）部
４−５  インタフェース（ＩＦ）部
４−６  マイクロコンピュータ
４−７  ブリッジ
４−８  ＭＡＣレイヤ部
４−９  物理レイヤ（ＰＨＹ）部
４−１０  物理レイヤ（ＰＨＹ）部
４−１１  ＭＡＣフレーム読み出し部
４−１２  バッファメモリ
４−１３  制御信号バイト読み出し部
４−１４  オーバーヘッド（ＯＨ）多重部
４−１５  伝送フレーム生成部
４−１６  主信号多重部
４−１７  伝送フレーム同期部
４−１８  主信号分離部
４−１９  オーバーヘッド（ＯＨ）分離部
４−２０  制御信号バイト抽出部
４−２１  バッファメモリ
４−２２  ＭＡＣフレーム生成部
【図１】
0004968126.tif 000002
【図２】
0004968126.tif 000003
【図３】
0004968126.tif 000004
【図４】
0004968126.tif 000005
【図５】
0004968126.tif 000006
【図６】
0004968126.tif 000007
【図７】
0004968126.tif 000008